(57)【要約】【課題】目隠し板を必要以上に低い位置まで配置することなく、汚水受けの下端部がユーザの目に入りにくくすることにより、寝室等に設置しても違和感が少ないポータブルトイレを提供する。【解決手段】汚物を受けるバケツ３００と、バケツ３００を受け入れる汚水受け２１０とを有するポータブルトイレ１００において、汚水受け２１０の側面部２１２，２１４，２２０Ｌ，２２０Ｒに段２１６，２１８を形成することにより、上記課題を解決できる。【選択図】図３
2016022319.tif 000002
【特許請求の範囲】
【請求項１】
汚物を受けるバケツと、
前記バケツを受け入れる汚水受けとを有するポータブルトイレであって、
前記汚水受けの側面部には、段が形成されている
ポータブルトイレ。
【請求項２】
前記段は、前記汚水受けの前側面部に形成されている
請求項１に記載のポータブルトイレ。
【請求項３】
前記段は、上下方向に２つ以上形成されている
請求項１に記載のポータブルトイレ。
【請求項４】
前記汚水受けは、前記段の内側に凹所を有しており、
前記凹所は、前側に行くにしたがって下方に傾斜した縦断面形状を有する逆傾斜部を有している
請求項１に記載のポータブルトイレ。
【請求項５】
前記逆傾斜部の内側端は、前記バケツの外面に当接する
請求項４に記載のポータブルトイレ。
【発明の詳細な説明】
【技術分野】
【０００１】
本発明は、汚物を溜めるバケツを受け入れる汚水受けを有するポータブルトイレに関する。
【背景技術】
【０００２】
従前より、高齢者や歩行が困難でトイレまで行くのが困難な方といったユーザが寝室等で排便を行えるようにするためのポータブルトイレが開発されている（例えば、特許文献１）。
【０００３】
特許文献１のポータブルトイレには、便等を受け入れるバケツを受け入れる便バケツ収納用凹部（汚水受け）が設けられている。これにより、バケツから小水等の汚物が飛散したりこぼれたりしても、それら汚物を便バケツ収納用凹所（汚水受け）で受けることができ、ポータブルトイレを設置した寝室等の床を汚しにくくなっている。
【先行技術文献】
【特許文献】
【０００４】
【特許文献１】特開２００３−９３２６９号公報
【発明の概要】
【発明が解決しようとする課題】
【０００５】
しかしながら、近年、単に排便を行うことができるだけでなく、寝室等に設置しても違和感が少ない、「家具のような」ポータブルトイレが求められるようになってきている。寝室等にポータブルトイレを設置した場合における違和感の原因のひとつとして、バケツや汚水受けの下端部がユーザの目に入ってしまうことが挙げられる。単にバケツや汚水受けの下端部を隠すだけであれば、これらを囲繞するように目隠し板を配置し、当該目隠し板を床近くの低い位置まで延ばせばよいが、目隠し板をあまり低い位置まで延ばすと、今度はユーザの足が目隠し板に当たってしまい、ユーザの足の置き位置をポータブルトイレの奥側にすることが困難になることから、ユーザが立ち上がりにくくなるという問題があった。
【０００６】
本発明は、かかる問題を解決するためになされたものであり、その目的は、目隠し板を必要以上に低い位置まで配置することなく、汚水受けの下端部がユーザの目に入りにくくすることにより、寝室等に設置しても違和感が少ないポータブルトイレを提供することにある。
【課題を解決するための手段】
【０００７】
この発明のある局面に従うと、汚物を受けるバケツと、バケツを受け入れる汚水受けとを有するポータブルトイレであって、汚水受けの側面部には段が形成されているポータブルトイレが提供される。
【０００８】
好ましくは、段は、汚水受けの前側面部に形成される。
【０００９】
好ましくは、段は、上下方向に２つ以上形成される。
【００１０】
好ましくは、汚水受けは、段の内側に凹所を有しており、凹所は、前側に行くにしたがって下方に傾斜した縦断面形状を有する逆傾斜部を有している。
【００１１】
好ましくは、逆傾斜部の内側端は、バケツの外面に当接する。
【００１２】
好ましくは、バケツの外面から突片が突設されており、
突片は、逆傾斜部に当接する。
【発明の効果】
【００１３】
この発明によれば、汚水受けの側面部に段を形成することにより、汚水受けの下端位置が奥に下がって目隠し板から離間する。このため、ユーザがポータブルトイレを見下ろしたとき、汚水受けの下端部が見えにくくなり、ポータブルトイレがあたかも「普通の椅子」であるかのように見える。これにより、寝室等に配置しても違和感の少なくポータブルトイレが提供される。
【図面の簡単な説明】
【００１４】
【図１】第１の実施の形態にかかるポータブルトイレ１００（座面１６０を倒した状態）を示す前方斜視図である。
【図２】第１の実施の形態にかかるポータブルトイレ１００（座面１６０を起こした状態）を示す前方斜視図である。
【図３】第１の実施の形態にかかるポータブルトイレ１００の側面断面図である。
【図４】第１の実施の形態にかかるポータブルトイレ１００に用いられる汚水受け部材２００を示す斜視図である。
【図５】第１の実施の形態にかかるポータブルトイレ１００に用いられるバケツ３００を示す斜視図である。
【図６】変形例におけるポータブルトイレ１００の側面断面図である。
【図７】他の変形例におけるポータブルトイレ１００の側面断面図である。
【図８】他の変形例におけるポータブルトイレ１００の側面断面図である。
【図９】他の変形例におけるポータブルトイレ１００の正面断面図である。
【図１０】他の変形例におけるポータブルトイレ１００の側面断面図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。なお、バケツ３００の蓋３０７は図２にのみ描いており、説明の便宜のため、他の図では蓋３０７を外した状態を描いている。
【００１６】
本明細書全体を通じて、特記しない限り、「縦断面」とは、ポータブルトイレ１００を使用可能にして水平な面に載置した状態において、鉛直方向に伸びる平面で切断した断面をいう。また、「横断面」とは、同じ状態において、水平方向に伸びる平面で切断した断面をいう。さらに、「前側」とは、ユーザが座面１６０に着座した際にユーザが向く方向をいう。逆に、「後側」とは、ユーザが座面１６０に着座した際にユーザが向く方向とは反対側をいう。また、「汚水」とは、小水に代表される汚物のこといい、液体に限定されず固形状の汚物も含む。
【００１７】
＜第１の実施の形態の全体構成＞
まずは、図１から図３を参照して、本実施の形態にかかるポータブルトイレ１００の全体構成について説明する。なお、図１は、本実施の形態にかかる座面１６０を倒した状態におけるポータブルトイレ１００全体の前方斜視図である。図２は、本実施の形態にかかる座面１６０を起こした状態におけるポータブルトイレ１００全体の前方斜視図である。また、図３は、図１におけるポータブルトイレ１００の、座面１６０の幅方向中心における縦断面を示す側面断面図である。
【００１８】
本実施の形態にかかるポータブルトイレ１００は、主に、椅子本体１０２と、汚水受け部材２００と、バケツ３００とを備えている。
【００１９】
椅子本体１０２は、基部１１０と、脚１２０と、肘掛１３０と、背もたれ１４０と、座面１６０とを備えている。
【００２０】
基部１１０は、前側面部１１２と、左側面部１１４Ｌと、右側面部１１４Ｒと、後側面部１１６とを有している。また、これら各側面部１１２，１１４Ｌ，１１４Ｒ，１１６に囲まれることにより、開口１１７が形成されている。なお、当該開口１１７には、汚水受け部材２００が嵌め込まれるようになっている。また、各側面部１１２，１１４Ｌ，１１４Ｒ，１１６は、汚水受け部材２００の下部（つまり、汚水受け２１０の下部）をユーザから見えにくくするための「目隠し板」としての役割も有している。さらに、座面１６０に着座しているユーザの足が当たりにくくするため、前側面部１１２の下端部は切り欠かれており、他の側面部１１４Ｌ，１１４Ｒ，１１６と比較して、前側面部１１２の下端縁の位置はやや高い位置に設定されている（図１参照）。
【００２１】
脚１２０は、一対の後脚１２２Ｌ，１２２Ｒと、一対の前脚１２４Ｌ，１２４Ｒとを備えている。一対の前脚１２４Ｌ，１２４Ｒは、それぞれ、基部１１０の前側の両側端部に取り付けられている。また、一対の後脚１２２Ｌ，１２２Ｒは、基部１１０の後側の両側端部に取り付けられている。ユーザの体格や好みに適合させるため、後脚１２２Ｌ，１２２Ｒや前脚１２４Ｌ，１２４Ｒに公知の高さ調節機構を取り付けてもよい。
【００２２】
肘掛１３０は、一対の肘掛部材１３２Ｌ，１３２Ｒと、一対の肘掛支持部材１３４Ｌ，１３４Ｒとを備えている。肘掛部材１３２Ｌ，１３２Ｒは、座面１６０に着座したユーザが両肘を載置するための部材であり、ポータブルトイレ１００の前側から後側にかけて垂直下向きに少し傾斜した状態で配設されている。各肘掛部材１３２Ｌ，１３２Ｒの後端部は、背もたれ１４０を構成する縦フレーム（後述）１４２Ｌ，１４２Ｒの上下方向中程においてボルト１３３で固定されている。また、各肘掛部材１３２Ｌ，１３２Ｒの前端は、それぞれ、肘掛支持部材１３４Ｌ，１３４Ｒの一端に接続されている。また、肘掛支持部材１３４Ｌ，１３４Ｒの他端は、それぞれ、前脚１２４Ｌ，１２４Ｒの上端に対して上方向から接続されており、あたかも肘掛支持部材１３４Ｌ，１３４Ｒと前脚１２４Ｌ，１２４Ｒとがひとつの部材で一体的に形成されているかのようになっている。なお、本実施の形態では、肘掛部材１３２Ｌ，１３２Ｒと肘掛支持部材１３４Ｌ，１３４Ｒとが一体的に形成されているが、肘掛部材１３２Ｌ，１３２Ｒと肘掛支持部材１３４Ｌ，１３４Ｒとを別体で形成し、公知の接合手段を用いて肘掛部材１３２Ｌ，１３２Ｒと肘掛支持部材１３４Ｌ，１３４Ｒとを接合してもよい。
【００２３】
背もたれ１４０は、一対の縦フレーム１４２Ｌ，１４２Ｒと、上下一対の背もたれ部材１５２，１５４とを備えている。縦フレーム１４２Ｌ，１４２Ｒは、その下端がそれぞれ後脚１２２Ｌ，１２２Ｒの上端に対して上方向から接続されており、あたかも縦フレーム１４２Ｌ，１４２Ｒと後脚１２２Ｌ，１２２Ｒとがひとつの部材で一体的に形成されているかのようになっている。
【００２４】
背もたれ部材１５２，１５４は、一対の縦フレーム１４２Ｌ，１４２Ｒの上部に架け渡された部材であり、座面１６０に着座したユーザの背中が当接するようになっている。
【００２５】
座面１６０は、排便時にユーザが着座するための部材であり、基部１１０の開口１１７よりもやや小さい面積を有している厚みのある板状部材である。座面１６０の中央部には排便用孔１６１が形成されている。また、座面１６０は、使用状態（座面１６０を倒した状態）において上側に位置し、着座したユーザと接触するクッション部材１６２と、使用状態において当該クッション部材１６２の下側に位置し、ユーザが着座した時等において座面１６０が不所望に歪むのを防止するフレーム部材１６４とで構成されている。
【００２６】
クッション部材１６２は、ウレタンやゴムに代表される弾性部材で形成されている。また、フレーム部材１６４は、縦断面が略「コ」字状に形成されており（図３参照）、座面１６０を使用状態にしたときにおいて当該縦断面形状が下向きに開口するように配置されている。なお、フレーム部材１６４の内部空間をフレーム部材内部空間１６６という。
【００２７】
また、フレーム部材１６４の後端部は、ヒンジ１９０を介して、椅子本体１０２の基部１１０の後端部に対して回動可能に取り付けられている。ヒンジ１９０は、ヒンジ本体１９２と、フレーム部材１６４の後端部に形成された第１回動軸１９４と、汚水受け部材２００の座面受け部（後述）２５０の上面後端部に形成された第２回動軸１９６とを備えている。ヒンジ本体１９２の一端部を第１回動軸１９４に対して回動可能に取り付け、さらに、ヒンジ本体１９２の他端部を第２回動軸１９６に対して回動可能に取り付けることにより、座面１６０（フレーム部材１６４）が基部１１０に嵌め込まれた汚水受け部材２００（基部１１０の後端部）に対して起倒可能になっている。
【００２８】
汚水受け部材２００は、図４に示すように、主に、汚水受け２１０と、座面受け部２５０と、トレー部２６０とを備えている。なお、本実施の形態では、上記汚水受け２１０、座面受け部２５０、およびトレー部２６０が互いに一体的に形成されているが、各部を別々に形成し、公知の接合技術を用いて互いに接続することにより汚水受け部材２００を形成してもよい。また、座面受け部材２５０と基部１１０とを一体的に形成してもよい。
【００２９】
座面受け部２５０は、略平板状の部分であり、その外縁形状は、椅子本体１０２の基部１１０に形成された開口１１７にぴったりと嵌まるように形成されている。また、座面受け部２５０の後端部には、バケツ３００の内部や汚水受け２１０の内部からの臭気を図示しない脱臭装置に導くための臭気孔２５１（図３参照）が形成されている。また、座面受け部２５０の下面（座面１６０が当接する面とは反対側の面）における当該臭気孔２５１に対応する位置には、図示しない脱臭装置からのホース（図示せず）が接続されるホース接続口２５２が座面受け部２５０と一体的に形成されている。もちろん、座面受け部２５０とホース接続口２５２とを別体で形成してもよい。
【００３０】
トレー部２６０は、座面受け部２５０の略中央部に凹設された部分である。本実施の形態において、トレー部２６０は、その平面形状が、汚水受け２１０の上端開口２１１（図３参照）を囲繞するように形成されている。つまり、トレー部２６０の内面と、汚水受け２１０の内面との境にはバケツ係止段２６２が内側に向けて突設されており、バケツ３００の周鍔部３２０（後述）を当該バケツ係止段２６２に係止することにより、汚水受け２１０の内側にバケツ３００を吊り下げることができるようになっている。
【００３１】
汚水受け２１０は、トレー部２６０の略中央部に凹設された部分であり、後側面部２１２と、前側面部２１４と、左側面部２２０Ｌと、右側面部２２０Ｒと、底面部２２４とを有している。また、汚水受け２１０は、図３に示すように、上端開口２１１を有しているとともに、当該上端開口２１１に続く内部空間２２５を有している。
【００３２】
汚水受け２１０の前側面部２１４は、上方部から順に、第１垂直部２４０、第１逆傾斜部２４２、第２垂直部２４４、第２逆傾斜部２４６、および、第３垂直部２４８を有している。第１垂直部２４０は、縦断面形状が略垂直状に形成されているとともに、横断面形状が略Ｕ字状に形成されている部分である。また、第２垂直部２４４および第３垂直部２４８は、縦断面形状が略垂直状に形成されているとともに、横断面形状が略直線状に形成されている部分である。さらに、第１逆傾斜部２４２および第２逆傾斜部２４６の「逆傾斜」とは、前側に行くにしたがって底面部２２４に近づくように（下方に）傾斜した縦断面形状を有する部分をいう。第１逆傾斜部２４２や第２逆傾斜部２４６を水平方向や前側に行くにしたがって上方に傾斜した縦断面形状を有するように形成してもよい。
【００３３】
これにより、第１垂直部２４０と第１逆傾斜部２４２との間に上側段２１６が形成されているとともに、第２垂直部２４４と第２逆傾斜部２４６との間に下側段２１８が形成されている。また、上側段２１６に対応する汚水受け２１０の内側には上側凹所２３０が形成されているとともに、下側段２１８に対応する汚水受け２１０の内側には、下側凹所２３２が形成されている。さらに、第３垂直部２４８の下端が滑らかに連続して底面部２２４につながっている。つまり、第１逆傾斜部２４２は、上側凹所２３０の底部分を構成しており、第２逆傾斜部２４６は、下側凹所２３２の底部分を構成している。
【００３４】
バケツ３００は、便等の汚物を直接受ける有底容器であり、図５に示すように、主に、後側面部３０２と、左側面部３０３Ｌと、右側面部３０３Ｒと、前側面部３０４とを備えており、上端に開口３０６を有している。より詳しく説明すると、後側面部３０２、左側面部３０３Ｌ、および、右側面部３０３Ｒは、互いに滑らかにつながって一体的に形成されている。これら後側面部３０２、左側面部３０３Ｌ、および、右側面部３０３Ｒの下端からは、下方向にリブ３０８が突設されている。
【００３５】
前側面部３０４は、その横断面において、後側面部３０２、左側面部３０３Ｌ、および、右側面部３０３Ｒによって形成される略楕円形状から前方に突出するような形状になっている。前側面部３０４は、その上端部に形成された、略半円状の横断面形状を有するとともに、略垂直状の縦断面形状を有する垂直部３１０と、当該垂直部３１０に続けてその下側に形成された傾斜部３１１とを有している。当該傾斜部３１１は、その縦断面形状が、前側に行くにしたがって開口３０６に近づくように（上方に）傾斜している。さらに言えば、本実施の形態におけるバケツ３００の傾斜部３１１は、下方向に伸びる傾斜凹所３１２を更に有している。このため、傾斜部３１１は、当該傾斜凹所３１２を中心として、その両側に傾斜左側突部３１４Ｌと傾斜右側突部３１４Ｒとを有している。これにより、本実施の形態におけるバケツ３００の外観は、「前側部が二股に分かれている」ような印象を看者に与える。
【００３６】
また、後側面部３０２、左側面部３０３Ｌ、および、右側面部３０３Ｒの上端部には周鍔部３２０が水平方向に一体的に突設されている。前述のように、当該周鍔部３２０が汚水受け部材２００におけるトレー部２６０のバケツ係止段２６２に係止することにより、バケツ３００を汚水受け２１０の内部空間２２５に吊り下げることができる。なお、周鍔部３２０における、左側面部３０３Ｌ、および、右側面部３０３Ｒに対応する位置には、バケツ３００を運搬する際に使用するハンドル（図示せず）をバケツ３００に対して起倒可能に取り付けるための取付孔３０９がそれぞれ形成されている。また、ポータブルトイレ１００の非使用時やバケツ３００単体での運搬時（特に、汚物が入った状態での運搬時）における、バケツ３００からの臭気漏れや汚物の飛散を低減するため、バケツ３００の開口３０６を覆う蓋３０７（図２参照）を用いてもよい。
【００３７】
＜第１の実施の形態にかかるポータブルトイレ１００の使用手順＞
最初に、汚水受け部材２００の座面受け部２５０に、ヒンジ１９０を介して、座面１６０を回動可能に取り付ける。然る後、椅子本体１０２の開口１１７に、汚水受け２１０が下方に位置するとともに座面１６０が上側に位置するように汚水受け部材２００を嵌め込む。次に、座面１６０を座面受け部２５０から起こした状態にして、汚水受け２１０の内部空間２２５にバケツ３００を挿入していき、バケツ３００の周鍔部３２０を汚水受け部材２００におけるトレー部２６０のバケツ係止段２６２に係止させる。これで、バケツ３００のセットが完了する。
【００３８】
続いて、座面１６０を座面受け部２５０に倒した後、ユーザが当該座面１６０に着座してポータブルトイレ１００を使用する。使用後は、バケツ３００に蓋３０７（図２参照）をする等しておき、バケツ３００に汚物がある程度溜まったら（もちろん、毎回でもよい。）、座面１６０をはね上げて汚水受け２１０からバケツ３００を取り出し、汚物を適切に処理できる場所までバケツ３００を運搬して当該汚物を処理する。空になったバケツ３００は、洗浄等が施された後、再び汚水受け２１０に取り付けられて使用される。
【００３９】
＜第１の実施の形態にかかるポータブルトイレ１００の特徴＞
第１の実施の形態にかかるポータブルトイレ１００によれば、汚水受け部材２００の前側面部２１４に上側段２１６および下側段２１８が形成されていることにより、椅子本体１０２の基部１１０を構成する前側面部１１２から、汚水受け２１０における前側面部２１４の下端（つまり、前側面部２１４と底面部２２４とで形成される前角部２２６）が離間する。このため、ポータブルトイレ１００を使用しようとするユーザが当該ポータブルトイレ１００前側に立って見下ろしたとき、基部１１０の前側面部（目隠し板）１１２に隠れて汚水受け２１０の前側面部２１４の下端（前角部２２６）が見えにくくなり、あたかも、ポータブルトイレ１００が「普通の椅子」であるかのように見える。これにより、寝室等に配置しても違和感の少ないポータブルトイレ１００を提供できる。
【００４０】
また、汚水受け部材２００の前側面部２１４に上側段２１６および下側段２１８が形成されており、これらの裏側（汚水受け２１０の内側面）に上側凹所２３０および下側凹所２３２が形成されていることにより、例えば、図３において矢印Ｒで示すように、バケツ３００から、フレーム部材１６４のフレーム部材内部空間１６６を経由して汚水受け２１０の上端開口２１１に至り、汚水受け２１０の内側に入った小水等の汚物が当該汚水受け２１０の内側で不所望に拡散するのを防止できる。
【００４１】
すなわち、図３に示すように、バケツ３００の上端縁と、汚水受け部材２００の開口（本実施の形態では、トレー部２６０および汚水受け２１０に続く開口）との隙間が完全に塞がっていない場合、ユーザがポータブルトイレ１００を使用中に小水等の汚物が当該隙間から汚水受け２１０の内側に入ってしまうことがある。本実施の形態にかかるポータブルトイレ１００であれば、このような場合であっても、入り込んだ汚物は、上側凹所２３０や下側凹所２３２に溜まるだけであり、汚水受け２１０内の他の場所に拡散するおそれが低い。このため、ユーザがポータブルトイレ１００の使用を終え、バケツ３００を取り出した後、汚水受け２１０内の上側凹所２３０や下側凹所２３２に溜まった汚物を清掃するだけでよい。また、例えば、凹所２３０，２３２にトイレットペーパー等の吸水材を予めセットしておくことで、不所望な拡散を更に防止でき、かつ、清掃時の手間を減らすことができる。
【００４２】
さらに言えば、本実施の形態における上側段２１６および下側段２１８の下面は、前方に行くにしたがって底面部２２４に近づくように（下方に）傾斜した縦断面形状を有する第１逆傾斜部２４２および第２逆傾斜部２４６をそれぞれ備えている。つまり、上側凹所２３０や下側凹所２３２は、それらの奥の方が手前の方に比べて低くなっている。このため、上述のように汚水受け２１０の内側に入った汚物が上側凹所２３０や下側凹所２３２に溜まりやすく、汚物が上側凹所２３０や下側凹所２３２の手前の方を乗り越えてくる可能性が低くなる。これにより、汚物が汚水受け２１０の内側で不所望に拡散するのをより確実に防止できる。
【００４３】
このように、上側凹所２３０や下側凹所２３２に溜まった汚物が拡散する（手前の方を乗り越えてくる）可能性が低ければ、汚水受け２１０の底面部２２４は必須ではなくなり、底がない態様の汚水受け２１０であってもよくなる。
【００４４】
＜変形例＞
（１）
汚水受け２１０の前側面部２１４における段の数は、上述した実施の形態のように２つに限定されるものではない。例えば、図６に示すように、段の数を１つ、つまり上側段２１６のみにしてもよい。もちろん、図示しないが、これとは逆に、汚水受け２１０の前側面部２１４において、上下方向に３つ以上の段を設けてもよい。段の数を多くするほど、汚水受け２１０の前角部２２６が前側面部１１２から更に離間してユーザから見えにくくなるとともに、上の段に対応する凹所を越えて垂れ下がってきた汚物を次の段に対応する凹所で溜めることができる機会が増えるので、汚物が汚水受け２１０の内側で不所望に拡散するのをより確実に防止できるようになる。
【００４５】
（２）
また、上述した実施の形態では、汚水受け２１０の前側面部２１４における第１逆傾斜部２４２や第２逆傾斜部２４６の内側端（汚水受け２１０の内側）と、バケツ３００の外面とは互いに離間しており、両者の間には隙間が存在している。これに変えて、図７に示すように、前側面部２１４における逆傾斜部４０１を内側に延長し、当該逆傾斜部４０１の内側端４０４が、汚水受け２１０に嵌め込んだ状態におけるバケツ３００の前側面部３０４に当接するようにしてもよい。
【００４６】
加えて、図７に示す変形例では、汚水受け２１０の前側面部２１４だけでなく、後側面部２１２や左側面部２２０Ｌ、右側面部２２０Ｒにも「段」が形成されている。例えば、後側面部２１２にも逆傾斜部４０７が形成されており、当該逆傾斜部４０７の内側端４０８がバケツ３００の後側面部３０２に当接するようになっている。
【００４７】
さらに言えば、バケツ３００における各側面部３０２，３０３Ｌ，３０３Ｒ，３０４の外面に対する汚水受け２１０の各逆傾斜部４０１，４０７の内側端４０４，４０８の当接精度が良好で、当該当接位置から小水等の汚物が漏れる可能性が低ければ、図７に示すように、汚水受け２１０から、その底面部２２４を省いてもよい。この場合、汚水受け２１０を各逆傾斜部４０１，４０７の内側端４０４，４０８までにしてもよいし、図７に示すように、内側端４０４，４０８から少し下方まで延びる下端部４０２，４０６を設けてもよい。また、例えば、各下端部４０２，４０６の内側面がバケツ３００の外側面に接するように汚水受け２１０やバケツ３００を形成することで、小水等の汚物が汚水受け２１０から漏れる可能性をより低くすることができる。なお、本変形例（２）の場合、バケツ３００の前側面部３０４には、第１の実施の形態におけるバケツ３００のような傾斜凹所３１２を設けることなく、略半円状の横断面形状を有するとともに、略傾斜した縦断面形状を有する傾斜部３１１がバケツ３００の下端までそのまま続くようなシンプルな形状を採用するのが好適である。
【００４８】
（３）
バケツ３００における各側面部３０２，３０３Ｌ，３０３Ｒ，３０４の外面と、汚水受け２１０の各逆傾斜部４０１，４０７の内側端４０４，４０８との密閉の度合いを高めるため、図８に示すような構成を採用してもよい。この場合、バケツ３００における各側面部３０２，３０３Ｌ，３０３Ｒ，３０４の外面には、板状の突片４１０，４１２が突設される。これら突片４１０，４１２は、バケツ３００が汚水受け２１０にセットされた状態で、逆傾斜部４０１，４０７の上面に当接する位置に形成されている。
【００４９】
これにより、突片４１０，４１２の下面と、各逆傾斜部４０１，４０７の上面とを面で接触させることができるので、各側面部３０２，３０３Ｌ，３０３Ｒ，３０４と、汚水受け２１０の各逆傾斜部４０１，４０７との密閉の度合いをより高めることができる。
【００５０】
（４）
また、図９に示すように、汚水受け２１０の左側面部２２０Ｌおよび右側面部２２０Ｒに左側面段５０２および右側面段５０４をそれぞれ形成してもよい。これにより、左側面部２２０Ｌと底面部２２４とで構成される左角部２２７、および、右側面部２２０Ｒと底面部２２４とで構成される右角部２２８が、椅子本体１０２における基部１１０の左側面部１１４Ｌや右側面部１１４Ｒといった「目隠し板」からより離間するようになる。これにより、ユーザが左右方向からポータブルトイレ１００を見下ろしたとき、基部１１０の左側面部１１４Ｌや右側面部１１４Ｒに隠れて汚水受け２１０の左側面部２２０Ｌや右側面部２２０Ｒの下端が見えにくくなり、ポータブルトイレ１００があたかも「普通の椅子」であるかのように見える。このため、さらに違和感の少ないポータブルトイレ１００を提供できる。同様に、汚水受け２１０の後側面部２１２に後側面段（図示せず）を形成してもよい。
【００５１】
上述のように、汚水受け２１０の前側面部２１４以外にも段を形成することができるが、汚水受け２１０に小水等の汚物が入ってくる可能性は前側面部２１４側が最も高いことから、当該段は少なくとも前側面部２１４に形成するのが好適である。
【００５２】
（５）
さらに、図１０に示すように、バケツ３００や汚水受け２１０の深さ寸法を小さくして、汚水受け２１０の底面部２２４の位置（底面部２２４を設けない場合は、バケツ３００の底の位置）が、椅子本体１０２の基部１１０を構成する前側面部１１２、左側面部１１４Ｌ、右側面部１１４Ｒ、あるいは、後側面部１１６の下端よりも高くなるようにしてもよい。
【００５３】
これにより、汚水受け２１０がユーザから見えることがなくなって、ほぼ「普通の椅子」と同じに見えることから、ほとんど違和感のないポータブルトイレ１００を提供できる。
【００５４】
（６）
上述した実施の形態では、汚水受け２１０の上側段２１６および下側段２１８が、前側面部２１４の幅方向全体にわたるように形成されているが、当該前側面部２１４の幅方向の一部分に段を形成してもよい。
【００５５】
（７）
また、汚水受け２１０の内側に入った小水等の汚物が当該汚水受け２１０の内側で不所望に拡散するのを防止するだけであれば、汚水受け２１０の外面に段を形成する必要はなく、その内面に凹所を形成するだけでよい。
【００５６】
（８）
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５７】
１００      ：ポータブルトイレ
１０２      ：椅子本体
１１０      ：基部
１１２      ：前側面部
１１４Ｌ    ：左側面部
１１４Ｒ    ：右側面部
１１６      ：後側面部
１１７      ：開口
１２０      ：脚
１２２Ｌ    ：後脚
１２２Ｒ    ：後脚
１２４Ｌ    ：前脚
１２４Ｒ    ：後脚
１３０      ：肘掛
１３２Ｌ    ：肘掛部材
１３２Ｒ    ：肘掛部材
１３３      :ボルト
１３４Ｌ    ：肘掛支持部材
１３４Ｒ    ：肘掛支持部材
１４０      ：背もたれ
１４２Ｌ    ：縦フレーム
１４２Ｒ    ：縦フレーム
１５２      ：背もたれ部材
１５４      ：背もたれ部材
１６０      ：座面
１６１      ：排便用孔
１６２      ：クッション部材
１６４      ：フレーム部材
１６６      ：フレーム部材内部空間
１９０      ：ヒンジ
１９２      ：ヒンジ本体
１９４      ：第１回動軸
１９６      ：第２回動軸
２００      ：汚水受け部材
２１０      ：汚水受け
２１１      ：（汚水受けの）上端開口
２１２      ：後側面部
２１４      ：前側面部
２１６      ：上側段
２１８      ：下側段
２２０Ｌ    ：左側面部
２２０Ｒ    ：右側面部
２２４      ：底面部
２２５      ：内部空間
２２６      ：前角部
２２７      ：左角部
２２８      ：右角部
２３０      ：上側凹所
２３２      ：下側凹所
２４０      ：第１垂直部
２４２      ：第１逆傾斜部
２４４      ：第２垂直部
２４６      ：第２逆傾斜部
２４８      ：第３垂直部
２５０      ：座面受け部
２５１      ：臭気孔
２５２      ：ホース接続口
２６０      ：トレー部
２６２      ：バケツ係止段
３００      ：バケツ
３０２      ：後側面部
３０３Ｌ    ：左側面部
３０３Ｒ    ：右側面部
３０４      ：前側面部
３０６      ：開口
３０７      ：蓋
３０８      ：リブ
３０９      ：取付孔
３１０      ：垂直部
３１１      ：傾斜部
３１２      ：傾斜凹所
３１４Ｌ    ：傾斜左側突部
３１４Ｒ    ：傾斜右側突部
３２０      ：周鍔部
４０１      ：逆傾斜部
４０２      ：下端部
４０４      ：（逆傾斜部の）内側端
４０６      ：下端部
４０７      ：（後側面部の）逆傾斜部
４０８      ：（後側面部の逆傾斜部における）内側端
４１０      ：突片
４１２      ：突片
５０２      ：左側面段
５０４      ：右側面段
【図１】
2016022319.tif 000003
【図２】
2016022319.tif 000004
【図３】
2016022319.tif 000005
【図４】
2016022319.tif 000006
【図５】
2016022319.tif 000007
【図６】
2016022319.tif 000008
【図７】
2016022319.tif 000009
【図８】
2016022319.tif 000010
【図９】
2016022319.tif 000011
【図１０】
2016022319.tif 000012